(57)【要約】      （修正有）【課題】形状を工夫することによりナットに緩み止め作用を確実に発揮させるワッシャーを提供する。【解決手段】中心部にボルト挿通孔１１を有する環状のワッシャー本体の被締結部材と当接する下側座面１２を扁平に形成する一方、ワッシャー本体のナットと当接する上側座面１３をテーパー状に形成し、かつ、このテーパー状上側座面１３の傾斜角度θを、ボルトのねじ山のねじれ角よりも大きくして、このワッシャー本体をナットと被締結部材との間に介装した状態のもとでボルトにより締結する時、ナットの上記テーパー状上側座面１３の頂部側で上位に位置するねじ部分と、上記テーパー状上側座面１３の低部側で下位に位置するねじ部分とが局部的に強く噛み合うようにねじれを発生させてナットの緩み止めを行うようにした。【選択図】図１
0003179117.tif 000002
【実用新案登録請求の範囲】
【請求項１】
中心部にボルト挿通孔１１を有する環状のワッシャー本体１０を備え、ワッシャー本体１０の被締結部材４と当接する下側座面１２が扁平状に形成されている一方、ワッシャー本体１０のナット３と当接する上側座面１３がテーパー状に形成され、かつ、このテーパー状上側座面１３の下側座面１２に対する傾斜角度θが、使用するボルト２のねじ山のねじれ角φよりも大きく形成されており、このワッシャー本体１０をナット３と被締結部材４との間に介装した状態のもとでボルト２により締結する時、ナット３の一端部分とワッシャー本体１０のテーパー状上側座面１３の頂部部分との偏った当接によりワッシャー本体１０を介し被締結部材４を締結する一方、ナット３の上記テーパー状上側座面１３の頂部側で上位に位置するねじ部分Ｐ１と、上記テーパー状上側座面１３の低部側で下位に位置するねじ部分Ｐ２との二箇所で局部的に強く噛み合うようにボルト２とナット３との間においてねじれを発生させてナット３の緩み止めを行うように構成したことを特徴とするナットの緩み止めワッシャー。
【考案の詳細な説明】
【技術分野】
【０００１】  本考案は、ナットと被締結部材との間に介装されるナットの緩み止めワッシャーに関する。
【背景技術】
【０００２】  従来、ボルトとナットにより被締結部材を締結する際、確実な締結を得るために例えばナットと被締結体との間に、ボルト挿通孔を有する平ワッシャーやスプリングワッシャーなどを介在させている。【０００３】  そして、上記ワッシャーをナットと被締結部材との間に介装して適宜治具で締結するとき、上記ワッシャーをナットの下面全面で均等状に被締結体の表面に圧接して、ボルトの軸力による締付抵抗でナットのワッシャーへの圧接やワッシャーの弾性変形などを利用して緩み止めを行うようにしている。
【考案の概要】
【考案が解決しようとする課題】
【０００４】  ところが、上記した従来のワッシャーをナットと被締結部材との間に介装した緩み防止構造では、ボルトやナット或いは被締結部材にかかる振動などの外力により、徐々にボルトが緩み、ボルトの締結力が低下して被締結部材の締結部分が緩んだり、ボルトが外れたりする問題があった。【０００５】  そこで、本考案は、ワッシャーの形状を工夫することによりナットに緩み止め作用を確実に発揮させることができるナットの緩み止めワッシャーの提供を課題とする。
【課題を解決するための手段】
【０００６】  上記した問題を解決するため、本考案は、中心部にボルト挿通孔１１を有する環状のワッシャー本体１０を備え、ワッシャー本体１０の被締結部材４と当接する下側座面１２が扁平状に形成されている一方、ワッシャー本体１０のナット３と当接する上側座面１３がテーパー状に形成され、かつ、このテーパー状上側座面１３の下側座面１２に対する傾斜角度θが、使用するボルト２のねじ山のねじれ角φよりも大きく形成されており、このワッシャー本体１０をナット３と被締結部材４との間に介装した状態のもとでボルト２により締結する時、ナット３の一端部分とワッシャー本体１０のテーパー状上側座面１３の頂部部分との偏った当接によりワッシャー本体１０を介し被締結部材４を締結する一方、ナット３の上記テーパー状上側座面１３の頂部側で上位に位置するねじ部分Ｐ１と、上記テーパー状上側座面１３の低部側で下位に位置するねじ部分Ｐ２との二箇所で局部的に強く噛み合うようにボルト２とナット３との間においてねじれを発生させてナット３の緩み止めを行うように構成したことを特徴とする。
なお、使用するボルト２、ナット３としては、ＪｉＳ規格に基づいて形成される標準的なボルト、ナットを用いる。
【考案の効果】
【０００７】  本考案によれば、上記した構成により、ワッシャー１をナット３と被締結部材４との間に介装した状態のもとでボルト２により締結する時、ナット３の一端部分がワッシャー本体１０のテーパー状上側座面１３の頂部部分を圧接することによりワッシャー本体１０を介し被締結部材４を締結する。そして、ナット３の一端部がワッシャー１のテーパー座面１３の頂部側に当接した後、さらにナット３を締め付けると、ナット３の上記テーパー状上側座面１３の頂部側で上位に位置するねじ部分Ｐ１と、上記テーパー状上側座面１３の低部側で下位に位置するねじ部分Ｐ２とが局部的に強く噛み合うようにボルト２とナット３との間においてねじれ作用が発生し、これによりナット３の緩み発生を防止することができる。
【図面の簡単な説明】
【０００８】
【図１】本考案に係るワッシャーの一部切欠正面図である。
【図２】同平面図である。
【図３】ワッシャーの使用過程の説明図である。
【図４】ワッシャーの使用状態の説明図である。
【考案を実施するための形態】
【０００９】  以下本考案の実施の形態を図に基づいて説明する。
【００１０】  図１〜図３は、本考案のナットの緩み止めワッシャーを示し、このワッシャー１は、金属製で中心部にボルト挿通孔１１を有する環状のワッシャー本体１０を備え、ワッシャー本体１０の被締結部材４と当接する下側座面１２が扁平に形成されている一方、ワッシャー本体１０のナット３と当接する上側座面１３がテーパー状の扁平面に形成され、かつ、図３に示すようにこのテーパー状上側座面１３の下側座面１２に対する傾斜角度θが、ボルト２のねじ山のねじれ角φよりも大きく形成されている。
【００１１】  そして、このワッシャー１をナット３の下面と被締結部材４との間に介装した状態のもとでボルト２により締結する時、ナット３の一端部分とワッシャー本体１０のテーパー状上側座面１３の頂部部分との偏った当接によりワッシャー本体１０を介し被締結部材４を締結する一方、図４に示すようにナット３の上記テーパー状上側座面１３の頂部側で上位に位置するねじ部分Ｐ１と、上記テーパー状上側座面１３の低部側で下位に位置するねじ部分Ｐ２との二箇所で局部的に強く噛み合うようにボルト２とナット３との間においてねじれを発生させてナット３の緩み止めを行うように構成したのである。
【００１２】  ここで、使用するボルト２、ナット３としては、ＪｉＳ規格に基づいて形成される標準的なボルト、ナットを用いる。
【００１３】  また、図に示す実施の形態では、ワッシャー本体１０の下側座面１２の外周部には、その厚み方向に突設される内面側がテーパー状の変形突起部１４が設けられている。その場合、ワッシャー本体１０は使用するボルト２のボルト強度とボルト径に基づく設計軸力以上の硬度を有するように形成されている一方、変形突起部１４は、締結に際し上記設計軸力に至るタイミングに合わせて図４に示すようにその先端部分が座金本体の外周端から半径方向外方にはみ出すように塑性変形され、目視により設計軸力による締め付けが行われたどうかの確認が行えるように形成されている。なお、この変形突起部１４は実施の形態のようにワッシャー本体１０の全周に設けたものであってもよいし、また部分的に複数個設けるようにしてもよい。
【００１４】  次に、以上のように構成したナットの緩み止めワッシャー１の作用について説明する。
【００１５】  まず、図３に示すようにワッシャー１をナット３の下面と被締結部材４との間に介装した状態のもとでボルト２により締め付けて締結する。その時、ナット３の一端部分とワッシャー１のテーパー状上側座面１３の頂部部分とが当接し、これによりワッシャー１を介し被締結部材４を締め付けて締結する。
【００１６】  そして、ナット３の一端部がワッシャー１のテーパー座面１３の頂部側に当接した後、さらにナット３を締め付けると、ナット３の一端部分とワッシャー１のテーパー状上側座面１３の頂部部分との偏った当接により、図４において矢印で示すように、ナット３の上記テーパー状上側座面１３の頂部側で上位に位置するねじ部分Ｐ１と、上記テーパー状上側座面１３の低部側で下位に位置するねじ部分Ｐ２とが局部的に強く噛み合うようにボルト２とナット３との間においてねじれ作用が発生し、これによりナット３の緩み発生を防止することができる。
【００１７】  その結果、締結終了時には、ボルト２とナット３との間において発生するねじれ作用により、ナット３の上位側に位置するねじ部分Ｐ１と下位側に位置するねじ部分Ｐ２との二箇所で局部的に強く噛み合うことにより、ボルト２とナット３の噛み合いを積極的に硬くロックすることができる。従って、ボルト２やナット３或いは被締結部材４にかかる振動などの外力などによるナット３の緩み発生を確実に防止することができる。
【００１８】  また、ワッシャー本体１０の下側座面１２の外周部には変形突起部１４が設けられているので、締結時には図４に示すように変形突起部１４が上記設計軸力に至るタイミングに合わせてその先端部分が座金本体の外周端から半径方向外方にはみ出すように塑性変形され、目視により設計軸力による締め付けが行われたどうかの確認が簡単容易に行える。
【符号の説明】
【００１９】１          ワッシャー
１０        ワッシャー本体
１１        ボルト挿通孔
１２        下側座面
１３        上側座面（テーパー状上側座面）
２          ボルト
３          ナット
４          被締結部材
【図１】
0003179117.tif 000003
【図２】
0003179117.tif 000004
【図３】
0003179117.tif 000005
【図４】
0003179117.tif 000006